【事件の表示】
　上記当事者間の特許第３０２５７８１号発明「カラオケ装置」の特許無効審判事件について、次のとおり審決する。
【結　論】
　特許第３０２５７８１号の請求項１に係る発明についての特許を無効とする。
　審判費用は、被請求人の負担とする。
【理　由】
第１　手続の経緯
　本件特許無効審判被請求人株式会社リコスは、下記ア記載の特許の特許権者であり、その手続経緯概要は下記イのとおりである。
ア　特許第３０２５７８１号　「カラオケ装置」
　　特許出願　　　平成１年１１月１日
　　出願番号　　　特願平１−２８７０７１号
　　設定登録　　　平成１２年１月２８日
イ　平成１５年　１月３０日　本件無効審判請求
　　　　　　　　　　　　　　請求人：株式会社第一興商
　　同　　　年　４月２１日　答弁書
　　同　　　年　７月１８日　口頭審理陳述要領書（請求人）
　　同　　　年　７月２４日　口頭審理
　　同　　　年　７月２４日　口頭審理説明資料（被請求人）
　　同　　　年　８月　１日　上申書（請求人）
　　同　　　年　９月　８日　上申書（被請求人）
　
第２　本件発明
　本件特許３０２５７８１号に係る発明（以下「本件発明」という。）は、特許明細書及び図面の記載からみて、その特許請求の範囲の請求項１に記載された次に掲げるとおりのものである。
「【請求項１】
　　楽曲情報と歌詞情報に加えて複数の動画番号が付された二進符号のカラオケ情報を順次並列処理し、楽曲情報はシンセサイザを介して再生すると共に歌詞情報はディスプレイに表示する端末装置と、
　　この端末装置から出力される動画番号に対応する動画信号を出力する光ディスクプレイヤとからなり、
　　上記端末装置ではカラオケ情報中に混在する動画番号を、またはカラオケ情報の終了の有無を判断してカラオケ情報の処理が終了したときには動画終了番号をそれぞれ上記光ディスクプレイヤに出力すると共に該光ディスクプレイヤから入力された動画信号を上記歌詞情報の表示にスーパーインポーズでディスプレイ側へ合成出力するようにし、
　　一方光ディスクプレイヤでは上記端末装置から入力された動画番号を予め番号順に記録された動画情報に対応するトラック番号に変換して該当する動画信号を最初から上記端末装置に出力すると共に、端末装置側から新たな動画番号又は動画終了番号が入力されるまでこの処理を継続し、動画終了番号が入力された時点で動画出力を中断するようにした
　　ことを特徴とするカラオケ装置。」
　
第３　審判請求人の主張
１　無効とすべき理由の概要
　　請求人は、本件発明の特許を無効とする、との審決を求め、その理由として、以下のとおり主張し、証拠方法として甲第１号証ないし甲第１３号証を提出している。
（１）本件発明は、甲第１号証ないし甲第５号証に記載された発明と、甲第６号証ないし甲８号証に一例を示す周知技術に基づいて、当業者が容易に発明をすることができたものであるから特許法２９条２項に該当し、同法１２３条１項２号により本件特許は無効とすべきものである。
（２）本件特許の明細書の発明の詳細な説明の項の欄には、当業者が容易に実施することができる程度に本件発明が記載されておらず、特許法３６条３項の規定に違反して特許されたものであるから、特許法１２３条１項の規定により本件特許は無効とすべきである。
（３）証拠方法
　　甲第１号証　特開昭６０−２１４１７８号公報（昭和６０年１０月２６日発行）
　　甲第２号証　特開昭６０−２４４１６９号公報（昭和６０年１２月４日発行）
　　甲第３号証　株式会社日光堂発行「レーザービジョンＢＧＶプレーヤー　ＶＰＤ−１００４　取扱説明書」
　　甲第４号証　特開昭６２−２５９２７８号公報（昭和６２年１１月１１日発行）
　　甲第５号証　実願昭６２−１９１６９０号（実開平１−９７４５３号、平成１年６月２８日発行）のマイクロフィルムに記録された内容
　　甲第６号証　特開昭６０−８３０９０号公報（昭和６０年５月１１日発行）
　　甲第７号証　特開昭６０−２４５９１号公報（昭和６０年２月７日発行）
　　甲第８号証　実願昭６３−５８８２３号（実開平１−７２７８２号、平成１年５月１６日発行）のマイクロフィルムに記録された内容
　　甲第９号証　株式会社日光堂の証明書
　　甲第１０号証　株式会社コインジャーナル発行「月刊カラオケｆａｎ」１９８９年１１月号抜粋（平成元年１０月１５日発行）
　　甲第１１号証　「電波新聞」１９８９年９月２日号抜粋
　　甲第１２号証　「電波新聞」１９８９年１０月３１日号抜粋
　　甲第１３号証　特公平７−１０８０２５号公報
　
２　具体的理由の要点
（１）甲第３号証の公知性について
　　甲第３号証は、カラオケ装置の背景映像を再生する製品「レーザービジョンＢＧＶプレーヤーＶＤＰ−１００４」の取扱説明書であり、当該製品に添付されているものであり、この取扱説明書が、本件特許発明の出願日（平成１年（１９８９年）１１月１日）前に公知となっていたことは、甲第９ないし１２号証から明らかである。
　甲第９号証は、甲第３号証の作成者である株式会社日光堂の証明書であり、甲第３号証がその製品の販売時に製品と一緒に購入者に頒布されていたことが示されている。
　甲第１０号証は、「月刊カラオケｆａｎ」１９８９年１１月号（平成１年１０月１５日発行）に掲載された記事であり、当該製品「ＶＤＰ−１００４」を含むＣＤカラオケ装置（「ニューＡＶＺ」）の発表展示会が同年８月２４日から９月１４日まで全国各地で開催された旨が紹介され、「発売は、１０月下旬頃の予定」と記載されている。
　甲第１１号証は、平成１年９月２日付「電波新聞」に掲載された広告であって、当該製品「ＶＤＰ−１００４」がこれと組み合わせて用いられるＣＤカラオケ装置とともに紹介されており、「年末の需要期に向けて発売、需要に一層の拍車をかける。」と記載されている。また、「従来のソフトは、作品のジャンルと映像がマッチしないという欠点があったが、十月に発売する二枚のソフトには特殊な信号を入れたことによって、作品のジャンルにマッチした映像が自動的に可能になる。」との記載もある。
　甲第１２号証は、平成１年１０月３１日付「電波新聞」北海道版に掲載された記事であり、当該製品「ＶＤＰ−１００４」を含むＣＤカラオケ装置を紹介するとともに、札幌営業所長の「札幌営業所のショールームを活用し、アピールしたい」という談話が記載され、併せて営業所のショールームに設置された同カラオケ装置の写真が掲載されている。また、同号証には、同カラオケ装置の広告も掲載されている。
　これらから、当該製品「ＶＤＰ−１００４」はこれに組み合わされるＣＤカラオケ装置とともに、本件特許発明の出願日である平成１年１１月１日より前の、平成１年１０月下旬までに発売されていた。遅くとも、同年１０月３１日前に発売されていたことは、甲第１２号証から明らかである。蓋し、発売していない商品を営業所のショールームに設置して販売活動を行うことなど、凡そ考えられないからである。
　そして、甲第３号証の取扱説明書は販売時に頒布されていたものであるから、遅くとも平成１年１０月３１日前にはこれが頒布されていた。また、一般に、発売と同時またはこれに先駆けて、取扱説明書が製品とともに各営業所に配布され、各営業所ではこれを見込み顧客に示しながら製品の説明を行ったり、或いは見込み顧客からの求めに応じて取扱説明書を閲覧させたりすることが、通常の営業活動である。このような営業活動はカラオケ装置の業界でも何ら異なるところはないから、甲第３号証の取扱説明書が遅くとも平成１年１０月３１日前に、不特定多数の者によって閲覧されていたことは明らかである。少なくとも、同日より前に不特定多数の者が甲第３号証の記載内容を知得できる状態となっていたことに疑問の余地はない。
　従って、甲第３号証は本件特許発明の出願日より前に公知となっていたものである。
　
（２）特許法２９条２項違反の理由
　甲第１号証には、本件発明と同様に、カラオケの楽曲情報と歌詞情報が記録された記録媒体を再生する第１装置と、背景映像が記録された記録媒体を再生する第２装置とを用い、第１装置で再生された歌詞映像と第２装置で再生された背景映像とを合成してディスプレイに表示するカラオケ装置についての発明が記載されており、両者はまったく同一の技術分野に属する発明である。
　本件発明と甲第１号証の発明との相違点については、甲第２ないし８号証に記載された技術に基づいて当業者が容易に発明をすることができたものであるから、特許法２９条２項により特許を受けることができない。
　
（３）特許法３６条３項違反
　明細書の記載から「動画番号」が具体的にどのようなものであるのかを理解することは不可能である。従って、また、動画番号を指定することによって、何故に「プレイヤ２側より曲の雰囲気に合った動画が送られることとなる」のかも不明である。さらに、「動画番号」をトラック番号に「変換」するというステップがどのようにして実行されるのかを理解することもできない。
　発明の詳細な説明の欄を精査しても当業者が容易に実施できる程度に記載されているとは到底言えない。それ故、本件発明は特許法第３６条第３項の規定に違反して特許されたものであり、特許法第１２３条第１項第３号の規定により、無効とすべきである。
　
第４　被請求人の主張
１　特許法２９条２項違反について
（１）　甲第３号証について
　甲第９号証ないし１２号証には、いずれも、甲第３号証に係る製品が、本件特許の出願日である平成１年１１月１日以前に発売されたとの明確な記載はなく、甲第３号証が、本件出願以前に発売され、公然実施された製品に添付された取扱説明書であることを明確に証するものではない。従って、甲第３号証が、本件出願前に公知になった刊行物である、という審判請求人の主張は否認する。
　
（２）　甲第１、２、４ないし８号証について
　甲第１号証に記載のカラオケ装置は、静止画を背景画とするものであり、動画を背景画として再生する本件特許発明のカラオケ装置とは、背景画の再生に際しての技術的課題を異にするものである。
　また、甲第２号証、甲第３号証、甲第５号証は、動画再生を行うカラオケ装置を開示し、甲第４号証はビデオディスク画面の自動検索方法を開示し、甲第６号証〜甲第８号証は、ＭＩＤＩ情報を用いた装置を開示するが、いずれも本件特許発明の要素技術を個別に開示するにすぎない。
　各甲号証は、本件特許発明を構成する各要素技術をそれぞれ個別に開示するにとどまり、以下ア、イについて記載も示唆もない。
ア　「楽曲及び歌詞情報」と「動画情報」とを分離し、両者を「動画番号」によって対応づけるという構成を採用し、前記「楽曲情報」をいわゆる「ＭＩＤＩ情報」に代表される「シンセサイザを介して再生する」情報（以下、「ＭＩＤＩ情報」という）とするという構成を採用し、複数の要素技術を組み合わせるという特徴的な構成を採用することにより、カラオケ装置における楽曲及び歌詞情報の記録格納及び動画情報の記録格納に関する省スペース化、効率化を実現すること（「背景動画カラオケ装置の省スペース化、効率化」）。
イ　「動画制御における時間管理」という、「楽曲再生及び動画再生の２つの時間管理を行いながら、両再生を同時に制御し、以て再生の継続及び終了をタイミング良く実現するための特段の処理を必要とする」（答弁書７頁）という、「新たな技術的課題」についての認識、及びこの「新たな技術的課題」を解決するための手段、すなわち、「光ディスクプレイヤでは、上記端末装置から入力された動画番号を予め番号順に記録された動画情報に対応するトラック番号に変換して該当する動画信号を最初から上記端末装置に出力すると共に、端末装置側から新たな動画番号又は動画終了番号が入力されるまでこの処理を継続し、動画終了番号が入力された時点で動画出力を中断するようにした」という構成を採用することにより解決すること。
　従って、これら各甲号証に、本件特許発明の要素技術が個々に開示されているとしても、これら要素技術を本件特許発明のように組み合わせることについての記載も示唆もない以上、これら各甲号証の記載から当業者が本件特許発明を容易に想到することはできない。
　
（３）　被請求人は、口頭審理及び上申書において、具体的に以下のように主張している。
ア　甲第１号証に開示された静止画の制御技術では、静止画は表示され続ける。
イ　特許請求の範囲において新たな「動画番号」の入力に言及している点、実施例において動画パターンの長さに言及している点等からすれば、曲と背景動画に関する時間管理について、当業者であれば十分理解できるものである。（口頭審理における調書参照）
ウ　曲と動画の長さのミスマッチを解消させるための動画の継ぎ足しについては、動画の長さが足りないときには動画番号を指定することにより行われ、これは、本件特許請求の範囲の「端末装置側からの新たな動画番号又は動画終了番号が入力されるまでこの処理を継続し」の記載から読める。（口頭審理における調書参照）
エ　動画について記載された甲第２号証、甲第５号証を、甲第１号証に記載の静止画カラオケの発明に組み合わせても、本件発明に到達することはできない。
　
２　特許法３６条３項違反について
　当業者であれば、出願時の技術常識と、本件特許公報の記載から以下に述べるように本件発明の用語の意味を明確に理解し、その実施を容易にできることは明らかである。
　本件特許発明において、「動画番号」とは、端末装置からみると、光ディスクに記憶された動画情報を指定する情報であり、「トラック番号」とは、動画情報（動画信号）の光ディスク上の読み出し位置を示す情報であり、光ディスク内における動画情報（動画信号）の格納の位置を示す位置情報がそれにあたり、「動画情報」とは、光ディスクに記憶された動画の情報を意味し、「動画信号」とは、光ディスクに記憶された動画情報から読み出される動画の信号を意味する。光ディスクに記憶されている動画の情報そのものが動画情報であり、この光ディスクに記憶された動画情報を光ディスクプレイヤが読み出して出力する信号が、動画信号である。
　上記のように「動画番号」とは、端末装置からみると、光ディスクに記憶された動画情報を指定する情報である以上、「プレイヤ２側より曲の雰囲気に合った動画が送られることとなるのか」についていささかも不明な点はない。
　このように、特許請求の範囲及び発明の詳細な説明において、「動画番号」、「トラック番号」、「動画情報」、「動画信号」の技術的意味は明らかであり、しかもこれら相互の関係も明確である。
　そして、端末装置から動画番号が光ディスクプレイヤに入力されると、光ディスクプレイヤは動画番号を、動画信号の光ディスク上の読み出し位置を示す位置情報であるトラック番号に変換し、当該動画情報の動画信号を最初から読み出し出力するのである。
　特許請求の範囲において、「一方光ディスクプレイヤでは上記端末装置から入力された動画番号を予め番号順に記憶された動画情報に対応するトラック番号に変換して該当する動画信号を最初から上記端末装置に出力する」という構成は、まさに前述した構成を意味するものであり、いささかも不明瞭な点はない。
　従って、本件発明は、特許法第３６条に規定する要件を満たしている。
　
３　乙号証
　被請求人は、本件発明の進歩性と商業的成功を説明するため、次に掲げる乙第１ないし７号証を提出している。
　乙第１号証　　東京地裁平成１４年行（ワ）第１６５３０号事件における審判請求人第２準備書面
　乙第２号証　　「カラオケ装置の発展と発明の位置付け」の説明資料
　乙第３号証　　特許公報（特許第２７９７６０６号）
　乙第４号証　　特許公報（特許第３１９４８８４号）
　乙第５号証　　公開特許公報（特開平１０−２８２９７２号）
　乙第６号証　　特許公報（特許第３２０６６１９号）
　乙第７号証　　特許公報（特許第３２４１３７２号）
　
第５　甲各号証
１　甲第１号証（特開昭６０−２１４１７８号公報）には、本件発明に関連した事項について、以下のように記載されている。
（ア）　「この発明は、例えばカラオケとともに、映像を表示するようにした映像つき音響再生装置に関する。」（１頁左下欄１５行〜１７行）
（イ）　「一般にカラオケの対象となる音楽（演歌が多い）は、その内容が似かよっているものが多く、従って、必要とされる背景映像も曲が異なっても共用できるものがかなりあると考えられる。従って、５４０００枚の静止画の内から重複利用を許して各々の曲の内容にマッチした静止画を必要な枚数、例えば３６枚だけ抜き出して背景映像として利用することができる。そして、そのようにすれば、１枚のビデオディスク上に形成した静止画像ファイルにより、例えば数万曲のカラオケ音楽用の背景映像が供給できるようになる。」（２頁左上欄１３行〜右上欄３行）
（ウ）　「ＣＤには、ビデオディスク上の静止画フレームのうちのどれを、どのような順番で、また、どのようなタイミングでアクセスして表示するかについてのデータを、各曲の曲間、あるいは曲の記録されている部分内に書き込んでおくこともできる。」（２頁右上欄１６行〜左下欄１行）
（エ）　「この発明においては、ビデオディスクにカラオケの背景映像となる静止画を多数記録しておくと共に、その静止画にはランダムアクセスをするためのページ番号（トラック番号）をつけておく。また、ＣＤには、カラオケの音楽信号を記録しておくと共に、そのカラオケの歌詞として表示される信号と、ビデオディスク上の背景映像のページを指定するページ信号とをユーザーズビットに記録しておく。そして、再生時には、ＣＤからカラオケの音楽信号を再生すると共に、歌詞の表示信号と、背景映像のページを指定するページ信号とを再生し、かつ、そのページ信号によりビデオディスクから背景映像となる映像信号を再生すると共に、これにＣＤからの歌詞の表示信号を重畳して背景映像及び歌詞を表示する。」（２頁左下欄５行〜２０行）
（オ）　「第２図において、（３）はＣＤプレーヤを示し、このプレーヤ（３）には上述のＣＤ、すなわち、例えば２０曲のカラオケ音楽信号Ｓｍが記録されていると共に、その各曲の音楽信号に対応するユーザーズビットに、そのカラオケの歌詞のコード信号Ｓｃと、ビデオディスク上の背景映像となる映像信号のページ（トラック）を指定するページ信号Ｓｐとが記録されているＣＤがセットされている。なお、信号Ｓｃは曲の進行につれて歌詞が順次表示されるように記録され、信号Ｓｐは例えば５秒ごとに背景映像を更新するように記録されている。また、（６）はビデオディスクプレーヤを示し、このプレーヤ（６）には上述のようにカラオケの背景映像として適当な静止画が例えば５４０００枚にわたって、かつ、ランダムアクセスができるように記録されているビデオディスクがセットされている。」（２頁右下欄２行〜１７行）
（カ）　「ＣＤプレーヤ（３）において任意のカラオケの曲を指定すると、そのカラオケの音楽信号Ｓｍが再生されると共に、そのカラオケの歌詞のコード信号Ｓｃと、そのカラオケの背景映像を指定するページ信号Ｓｐとが再生される。そして、音楽信号Ｓｍが、アンプ（４）に供給されると共に、マイクロホン（５）からの歌声の音声信号Ｓａがアンプ（４）に供給されて信号Ｓｍに混合され、かつ、パワー増幅されてからスピーカ（１）に供給される。また、プレーヤ（３）からページ信号Ｓｐがプレーヤ（６）に供給されて信号Ｓｐにより指定されるページからそのカラオケの背景映像となる静止画の映像信号Ｓｖが再生され、この信号Ｓｖがアンプ（７）に供給される。さらに、プレーヤ（３）からのコード信号Ｓｃがプロセッサ（８）に供給されて信号Ｓｃは歌詞を表示する表示信号（映像信号）Ｓｄにデコードされ、この信号Ｓｄがアンプ（７）に供給されて信号Ｓｖに例えばスーパーインポーズされる。そして、この信号Ｓｄを有する信号Ｓｖがモニタ受像機（２）に供給される。従って、スピーカ（１）からはカラオケにのった歌声が再生されると共に、受像機（２）には、そのカラオケの曲に対応した背景映像の静止画（２２）に歌詞（２１）がスーパーインポーズされて表示される。そして、その背景映像の静止画は例えば５秒ごとに変化していくと共に、歌詞は曲の進行につれて変化していく。」（３頁左上欄１行〜右上欄７行）
　
２　甲第２号証（特開昭６０−２４４１６９号公報）には、本件発明に関連した事項について、以下のように記載されている。
（ア）　「近年、ビデオテープレコーダあるいはビデオディスクプレーヤ等の再生装置を用いて、リクエストした曲の伴奏メロディーに合わせて歌詞の入った映像が再生される、いわゆるビデオカラオケ装置が普及してきたが、リクエストした曲に対して一種類の映像を再生するだけの装置であった。」（１頁右下欄５行〜１０行）
（イ）　「本発明になるビデオ再生装置は、同じ曲をリクエストするたびに一連の映像の種類がかわるビデオカラオケ装置である。第１図は本発明の一実施例になるビデオ再生装置の構成を示すブロック図である。本発明になるビデオ再生装置は、第１および第２のビデオ再生装置１，２、制御装置３、映像合成装置４、テレビジョン装置５、オーディオアンプ６、スピーカ７からなる。再生装置１、２はビデオテープレコーダあるいはビデオディスクプレーヤが用いられる。」（２頁左上欄８行〜１８行）
（ウ）　「再生装置１は制御装置３での選曲操作により、ビデオディスク（図示せず）に収録してある曲を再生する。再生装置１の出力信号は２つあり、オーディオ出力信号はアンプ６に供給されて増幅された後スピーカ７から出力される。ビデオ出力信号（第１の映像信号）は映像合成装置４に供給される。」（２頁右上欄１行〜７行）
（エ）　「再生装置１で用いるビデオディスクに収録してあるのは曲ごとに、オーディオ信号としては伴奏メロディー、ビデオ信号としてはテロップだけの映像（例えば、単色（青）をバックにした歌詞の文字あるいは譜面）である。」（２頁右上欄２０行〜左下欄４行）
（オ）　「再生装置２で用いるビデオディスクに収録してあるのは、再生装置１で用いるビデオディスクの曲とは無関係である映像であり、テロップのない一連の映像（例えば、ストーリーのない風景だけの映像）である。」（２頁左下欄４行〜８行）
（カ）　「リクエスト時、ボタン１０でリクエスト曲のチャプタ番号の指定（例えば「２」と押す）を行うと、この入力情報はＣＰＵ１３に送出され、この入力情報がＣＰＵ１３で検出されると、（中略）　ＣＰＵ１３から再生装置１にコマンドコードが送出される。再生装置１はこのコマンドコードを受け、（中略）　リクエスト曲の再生を開始する。この再生開始に応じて再生装置１からアドレス情報、ステイタス情報がＣＰＵ１３に送出される。ＣＰＵ１３はこれを受けて再生装置２に、再生装置１が再生開始した旨のコマンドコードを送出する。再生装置２はこのコマンドコードを受けた後、スタンバイ状態から再生状態となされ、ビデオディスクの任意の位置から再生を開始する。」（２頁右下欄１９行〜３頁左上欄１８行）
（キ）　「図示するように、再生装置１からのビデオ信号はテロップだけの映像（文字だけの映像）、再生装置２からのビデオ信号はテロップのない映像（マンガの映像）であるから、これらの映像を合成すると、テロップの入った映像（文字が挿入されたマンガの映像）が新しくできる。」（３頁左下欄７行〜１２行）
（ク）　「映像合成装置４で合成された映像はテレビジョン装置５に送出され、ここから再生される。そして、映像の再生に合わせて伴奏メロディーがスピーカ７から再生される。」（３頁左下欄１８行〜右下欄１行）
（ケ）　「こうして、リクエスト曲の再生が終了すると、再生装置１はディスクをトレースしているピックアップをピックアップの終了位置に移送すると共に、ＣＰＵ１３にリクエスト曲の再生が終了した旨のアドレス情報、ステイタス情報を送出する。ＣＰＵ１３はこれを受けて、（中略）　チャプタ番号（「２」）の表示を解除（消灯）する。これと同時に、ＣＰＵ１３から
再生装置１
（コ）　「再生装置１，２にビデオテープレコーダを用いる際には次のようなビデオテープが使用される。再生装置１で用いるビデオテープに収録してあるのは曲ごとに、オーディオ信号としては伴奏メロディー、ビデオ信号としてはテロップだけの映像（例えば、単色（青）をバックにした歌詞の文字あるいは譜面）であり、そして収録されている各曲の間にあるコード（曲の見出し番号、各曲の開始あるいは終了を識別するためのコード）が設けられている。」（４頁右上欄４行〜１３行）
　
３　甲第３号証（株式会社日光堂発行「レーザービジョンＢＧＶプレーヤー　ＶＰＤ−１００４　取扱説明書」）については、記載内容は略す。
　
４　甲第４号証（特開昭６２−２５９２７８号公報）には、本件発明に関連した事項について、以下のように記載されている。
（ア）　「この発明は、各種の音声記録媒体にビデオディスクの画面を検索する信号を挿入することによってビデオディスクの画面を自動的に検索する音声記録媒体によるビデオディスク画面の自動検索方法に関する。」（１頁右下欄１５行〜１９行）
（イ）　「従来、光学方式又は静電容量方式で動画及び音声を記録したビデオディスクが知られている。これらのビデオディスクには３０ｃｍ標準ビデオディスクのように、片面３０分の動画及び音声もしくは片面５４０００枚の静止画が記録できるようになっているものがある。」（２頁左上欄１行〜６行）
（ウ）　「この方法では、音響機器３に挿入された音声記録媒体よりビデオディスク画面の解説用の音声及びこのビデオディスク画面を検索する検索用制御信号を再生すると共に、ビデオディスク制御装置１０により、検索用制御信号のみを分離してビデオディスクプレイヤ１に送信し、ビデオディスク画面を自動的に検索している。」（２頁左下欄６行〜１２行）
（エ）　「磁気記録テープ１００には、ｃ方向に記録された２チャンネルのトラック２００Ａ及び２００Ｂが設けられており、トラック２００Ａには、後述するビデオディスク画面の解説用の音楽や音声等の音声信号１０１〜１０ｎが磁気記録されており、トラック２００Ｂには、上述のビデオディスク画面の検索用の検索用制御信号１１１〜１１ｎが磁気記録されている。」（２頁左下欄１８行〜右下欄５行）
（オ）　「検索用制御信号１１１〜１１ｎを（中略）　音声信号１０１〜１０ｎの間に記録して音声信号１０１〜１０ｎを再生しながらビデオディスク画面を選択されるようにしてもよい。」（２頁右下欄８行〜１４行）
（カ）　「ここでは、ビデオディスクに百科事典の画像情報（静止画及び動画）が記録され、磁気記録テープ１００のトラック２００Ａには、画像情報に応じた内容の解説用の音声信号１０１〜１０ｎが磁気記録され、トラック２００Ｂには、画像情報が記録された画面の検索用制御信号１１１〜１１ｎが磁気記録されているものを例に説明するが、この画像情報は、百科事典ばかりでなく、美術全集、文学全集、写真集、カタログ集、コミック全集、音楽全集、カラオケ全集等であってもよく、この場合、磁気記録テープ１００に磁気記録される内容もこれら画像情報に対応するものを用意する。」（３頁右上欄１２行〜左下欄４行）
（キ）　「カセットテープデッキ、オープンリールテープデッキは自動的にトラック２００Ａより内容を選択して内容に対応した解説の音声信号１０ｌ〜１０ｎを再生しスピーカ５より音声が発せられる。又、カセットテープデッキ、オープンリールテープデッキは、トラック２００Ｂに記録された検索用制御信号１１ｌ〜１１ｎもその時に再生するので、混合信号ＯＳがビデオディスク制御装置１０に入力され、制御信号分離部１１で検索用制御信号ＣＳ２のみが分離され、この検索用制御信号ＣＳ２が制御信号デコード部１２で検索コードデータＫＤにデコードされる。そしてこの検索コードデータＫＤは検索信号発生部でビデオディスクプレイヤ１に応じた検索信号ＣＳ３に変換され、送信器１４により赤外線、超音波、電気信号等ＫＳに変換され、ビデオディスクプレイヤ１のリモートコントロール受信部に送信される。これにより、ビデオディスクプレイヤ１はセットされたビデオディスクから上述の解説に対応した画面を検索し、モニタＴＶに画像（百科事典の頁の静止画及び動画）が表示される。」（３頁左下欄８行〜右下欄９行）
（ク）　「第３図に示すように、検索用制御信号に周波数変調等を行ない（図示４００の部分）、音声信号３００が記録されているトラック（例えば２００Ａ）に重畳させて１本のトラック内に同時に磁気記録し再生するときに復調して分離させるようにしてもよい。又、検索用制御信号を、音声信号の合間に例えば、次の項目の音声信号の前後に重ならないように挿入してもよい。又、この磁気記録テープにビデオテープを使用し、ＶＴＲ装置で再生するようにしてもよい。又、磁気記録テープの代わりにコンパクトディスクに記録し、ＣＤプレーヤで再生するようにしてもよい。」（３頁右下欄１７行〜４頁左上欄９行）
　
５　甲第５号証（実願昭６２−１９１６９０号（実開平１−９７４５３号）のマイクロフィルム）には、本件発明に関連した事項について、以下のように記載されている。
（ア）　「前記バーコード印刷欄２に印刷されるバーコードのデータ形式は、インターリブド２ｏｆ５に係るコード体系とし、一つの曲名データには、１桁のジャンル番号（１，〜，３）、３桁のディスク番号（００１，〜，１５０）、２桁の局番号（０１，〜，１８）、スタートコード、及びストップコードから構成されている。」（明細書６頁１０行〜１６行）
（イ）　「前記ジャンル番号は、曲毎に演歌、ポップス、ニューミュージックのジャンル区分による番号、（中略）。前記ジャンル番号に応じて、適当な映像を選択して表示する。」（明細書６頁１７行〜７頁３行）
（ウ）　「その曲名に対応する位置の前記バーコード印刷欄２を前記バーコードリーダー３にてスキャンすると、該バーコードリーダー３の先端のセンサー９にて曲名データが読み取られる。このとき、該曲名データは、ジャンル番号としてはポップスを表す［２］、ディスク番号としては１８番目のディスクを表す［１８］、曲番号としては１２番目を表す［１２］、及び所定のスタートコードとストップコードから構成されている。」（明細書７頁１８行〜８頁６行）
（エ）　「前記カラオケ装置本体４においては、受信された曲名データにもとづき前記コンパクトディスクプレーヤ８と出力部１８を制御し、スタンバイする。」（明細書８頁１１行〜１４行）
（オ）　「スピーカ１４から所定の伴奏の演奏が開始される。なお、このとき、前記曲名データから得られたジャンル番号［２］に対応する背景映像を映像ディスク１２から得て大型ディスプレイ装置１３にて表示する。」（明細書８頁１８行〜９頁３行）
　
６　甲第６号証（特開昭６０−８３０９０号公報）には、本件発明に関連した事項について、以下のように記載されている。
（ア）　「第３図は演奏ステーションのカラオケ装置の詳細なブロック図である。電話回線２を通じて伝送されてきた演奏データＢＤはカラオケ装置のボックスに設けられた音響カプラ１０から装置内に取り込まれ、モデム１１によりシリアルなデジタルデータに変換される。」（２頁右下欄９行〜１４行）
（イ）　「一曲分の演奏データがすべて外部メモリ１４に転送され書込まれた後キーボード１５から演奏指令を入力すると、中央演算処理装置１３は外部メモリ１４に書込まれた演奏データをプログラムに従い読み出し、楽音信号発生回路１６およびリズム発生器１７に演奏パラメータを与える。（中略）　増幅器１８はマイクロホン１９からの音声信号と楽音信号発生回路１６からの楽音信号とリズム発生器１７からのリズム楽音信号とを適度に混合しエコー効果などの効果を付与してスピーカ２０から演奏音と歌声とを発生する。この楽音発生動作はシンセサイザの動作と同じであるので説明は省略する。」（３頁左上欄６行〜右上欄５行）
　
７　甲第７号証（特開昭６０−２４５９１号公報）には、本件発明に関連した事項について、以下のように記載されている。
（ア）　「マイクロプロセッサ２０が指示する楽音再生指示にしたがい、ＲＡＭ３５の中の演奏情報を読み出し、楽音合成器４０に供給する。」（３頁右下欄４行〜６行）
（イ）　「楽音合成器４０は、複数のチャンネルを持ち、複音が発生でき、かつ、それぞれ、別々の音色が発生できるものを用いる。これらの合成器については、公知のものがあるので説明を省く」（４頁左上欄１５行〜１８行）
　
８　甲第８号証（実願昭６３−５８８２３号（実開平１−７２７８２号）のマイクロフィルム）には、本件発明に関連した事項について、以下のように記載されている。
（ア）　「この考案の構成によれば楽譜情報に付加した歌詞読出制御信号によって歌詞情報が読出され、この歌詞情報が表示器に送られ、表示器に歌詞に対応した文字が表示され、曲の進行と共に歌詞に着色等の変化を与える。」（４頁２行〜６行）
（イ）　「楽音再生手段１００は楽譜情報を解読して楽器音を生成する装置である。この楽音再生手段１００は例えばＭＩＤＩ規格に準拠して作られたものとする。ＭＩＤＩ規格に準拠して作られた楽音再生手段１００は既によく知られた装置である。」（５頁１９行〜６頁３行）
　
第６　当審の判断
１　特許法第３６条３項違反について
　発明の詳細な説明の項の記載が、当業者が容易に実施できる程度か否かの判断は、出願時点における技術常識や公知及び周知な技術を参考に判断されるべき事項であって、明細書の記載は、これらの事項を参酌して理解できれば、容易に実施できる程度に記載されているということができる。
　本件発明の場合、明細書における、「動画番号」、「動画番号を指定することによって、プレイヤ側より曲に合った動画が送られること」及び「動画番号をトラック番号に変換すること」については、審判請求人の提示した甲第１、２、４及び５号証を含め当業者に知られた従来技術に鑑みれば、明細書記載の内容で十分当業者が容易に実施できる程度に記載されている。
  したがって、本件発明は，特許法３６条３項の規定に違反して特許されたものであるから、特許法１２３条１項の規定により本件特許は無効とすべきであるとの、審判請求人の主張は採用できない。
　
２　甲第３号証の公知性について
　甲第３号証の取扱説明書が本件出願日（平成１年１１月１日）より前に公知となっていたことを示す甲第９号証ないし甲第１２号証について検討する。
　甲第９号証の証明書は、甲第３号証がその製品の販売時に製品と一緒に購入者に頒布されていたことを示すにとどまり、製品の販売時期について明確に示すものでない。
　甲第３号証の取扱説明書の製品が本件出願以前に発売されたことを示す証拠の１つとして提出された甲第１０号証には、発表展示会が開催されたことは記載があるものの、「発売は、１０月下旬頃の予定」と予定の記載のみであり、予定のとおりに実際に発売されたか否かは確認できない。
　同じく甲第１１号証は、平成１年９月２日付「電波新聞」の記事であって、「年末の需要期に向けて発売」「十月に発売する二枚のソフトには特殊な信号を入れたことによって、作品のジャンルにマッチした映像が自動的に可能になる」との記載はあるが、予定の記載のみであり、実際に発売されたことを確認できない。
　同じく甲第１２号証は、平成１年１０月３１日付「電波新聞」北海道版の記事であって、札幌営業所長の「札幌営業所のショールームを活用し、アピールしたい」という談話が記載され、同ショールームに設置された当該製品「ＶＤＰ−１００４」を含むＣＤカラオケ装置の写真が掲載され、同カラオケ装置の広告の記載はあるが、実際に発売されたことを確認できない。
　請求人の主張する営業活動が当該製品の取扱説明書に基づいて行われたことは請求人の推測に基づくものであって、当該製品の取扱説明書が平成１年１０月３１日前に閲覧された事実を確認することはできない。
　したがって、甲第９号証ないし甲第１２号証のいずれにも、甲第３号証に係る製品が、本件特許の出願日である平成１年１１月１日より前に発売されたとの明確な記載はなく、甲第３号証の取扱説明書が、平成１年１１月１日より前に製品と一緒に頒布され公知になったことを明確に証するものはない。よって、甲第３号証が、本件出願前に公知になった刊行物であるとすることはできないから、証拠として採用しない。
　
３　甲第１号証の発明
　本件発明との関連において、甲第１号証には、上記第５の１で摘記したように、次に掲げること（以下「甲第１号証の発明」という。）が記載されている。
「カラオケとともに、映像を表示するようにした映像つき音響再生装置であって、
　ビデオディスクにカラオケの背景映像となる静止画を多数記録しておくと共に、その静止画にはランダムアクセスをするためのページ番号（トラック番号）をつけておくこと、
　ＣＤには、カラオケ音楽信号が記録されていると共に、その各曲の音楽信号に対応するユーザーズビットに、そのカラオケの歌詞のコード信号と、ビデオディスク上の背景映像となる映像信号のページ（トラック）を指定するページ信号とが、記録され、歌詞のコード信号は曲の進行につれて歌詞が順次表示されるように記録され、ページ信号は例えば５秒ごとに背景映像を更新するように記録されていること、
　ビデオディスクプレーヤには、ランダムアクセスができるようにビデオディスクがセットされていること、
　ＣＤプレーヤにおいて任意のカラオケの曲を指定すると、そのカラオケの音楽信号が再生されると共に、そのカラオケの歌詞のコード信号と、そのカラオケの背景映像を指定するページ信号とが再生され、音楽信号が、アンプに供給されること、
　ＣＤプレーヤからページ信号がビデオディスクプレーヤに供給されてページ信号により指定されるページからそのカラオケの背景映像となる静止画の映像信号が再生され、この映像信号がアンプに供給され、ＣＤプレーヤからの歌詞のコード信号がプロセッサに供給されて歌詞を表示する映像信号にデコードされ、この歌詞の映像信号がアンプに供給されて静止画の映像信号にスーパーインポーズされ、受像機に表示されること。」
　
４　本件発明と甲第１号証の発明との対比
　本件発明と甲第１号証の発明とを対比する。
（１）　甲第１号証の発明における「ビデオディスクプレーヤ」は、本件発明における「光ディスクプレイヤ」に対応している。
（２）　甲第１号証の発明における「受像機」は、本件発明における「ディスプレイ」に対応している。
（３）　甲第１号証の発明における「ＣＤプレーヤ」「アンプ」「プロセッサ」（以下、「ＣＤプレーヤ等」という。）は、カラオケの音楽信号を再生するとともに、背景映像を指定する信号を再生し、歌詞の表示信号を再生するので、これらは、本件発明における「端末装置」に対応している。
（４）　甲第１号証の発明における「カラオケの音楽信号」は、本件発明における「楽曲情報」に対応している。　
（５）　甲第１号証の発明における「カラオケの歌詞のコード信号」は、本件発明における「歌詞情報」に対応している。
（６）　甲第１号証の発明において、ＣＤには、カラオケ音楽信号と、その各曲の音楽信号に対応するユーザーズビットに、そのカラオケの歌詞のコード信号と、ビデオディスク上の背景映像となる映像信号のページ（トラック）を指定するページ信号とが記録され、ＣＤプレーヤにおいて任意のカラオケの曲を指定すると、そのカラオケの音楽信号が再生されると共に、そのカラオケの歌詞のコード信号と、そのカラオケの背景映像を指定するページ信号とが再生されるので、「ＣＤプレーヤ等」（本件発明の「端末装置」に相当するもの）が、楽曲情報と歌詞情報に加えて複数の背景映像を指定する信号が付された二進符号のカラオケ情報を順次並列処理し、楽曲情報を再生すると共に歌詞情報はディスプレイに表示しているということができる。
（７）　甲第１号証の発明において、ＣＤプレーヤにおいて任意のカラオケの曲を指定すると、そのカラオケの歌詞のコード信号と、そのカラオケの背景映像を指定するページ信号とが再生され、ＣＤプレーヤからページ信号がビデオディスクプレーヤに供給されてページ信号により指定されるページからそのカラオケの背景映像となる静止画の映像信号が再生され、一方ＣＤプレーヤからの歌詞のコード信号をデコードした歌詞の映像信号が、上記静止画の映像信号にスーパーインポーズされるので、「ＣＤプレーヤ等」（本件発明の「端末装置」に相当するもの）では、カラオケ情報中に混在する背景映像を指定する信号を、光ディスクプレイヤに出力すると共に該光ディスクプレイヤから入力された背景映像の映像信号を歌詞情報の表示にスーパーインポーズでディスプレイ側へ合成出力すること、及び光ディスクプレイヤでは、「ＣＤプレーヤ等」から入力された背景映像を指定する信号に該当する背景映像を「ＣＤプレーヤ等」に出力することが、行われているといえる。
（８）　甲第１号証の発明において背景映像を指定するページ信号は例えば５秒ごとに背景映像を更新するように記録されていて、ページ信号がビデオディスクプレーヤに供給されて、光ディスクプレイヤ側では、ページ信号により指定されるページからカラオケの背景映像となる静止画の映像信号が再生され、次の新たなページ信号が入力されると新たに指定された背景映像信号が再生されるのであるから、端末装置側から新たな背景映像を指定する信号が入力されるまで直前の背景映像信号の再生のための処理が継続されているということができる。
（９）　甲第１号証の発明における「ビデオディスク上の背景映像となる映像信号のページ（トラック）を指定するページ信号」は、背景映像を指定する信号であり、本件発明における「動画番号」は、動画の背景映像を指定する信号である。
　
５　本件発明と甲第１号証の発明との一致点・相違点
　上記対比から、本件発明と甲第１号証の発明とは、次に掲げる一致点、相違点を有する。
　
一致点
　「楽曲情報と歌詞情報に加えて複数の背景映像を指定する信号が付された二進符号のカラオケ情報を順次並列処理し、楽曲情報を再生すると共に歌詞情報はディスプレイに表示する端末装置と、
　　この端末装置から出力される背景映像を指定する信号に対応する背景映像信号を出力する光ディスクプレイヤとからなり、
　　上記端末装置ではカラオケ情報中に混在する背景映像を指定する信号を、上記光ディスクプレイヤに出力すると共に該光ディスクプレイヤから入力された背景映像信号を上記歌詞情報の表示にスーパーインポーズでディスプレイ側へ合成出力するようにし、
　　一方光ディスクプレイヤでは上記端末装置から入力された背景映像を指定する信号により指定される背景映像信号を上記端末装置に出力すると共に、端末装置側から新たな背景映像を指定する信号が入力されるまでこの処理を継続するようにしたカラオケ装置。」
　
相違点
（１）相違点１
　背景映像について、本件発明では、
　（１−１）背景映像が動画であり、
　（１−２）背景映像を指定する信号が、動画番号であり、端末装置では、カラオケ情報中に混在する動画番号を上記光ディスクプレイヤに出力し、光ディスクプレイヤでは、上記端末装置から入力された動画番号を予め番号順に記録された動画情報に対応するトラック番号に変換して該当する動画信号を最初から上記端末装置に出力すると共に、端末装置側から新たな動画番号が入力されるまでこの処理を継続し、
  （１−３）端末装置では、カラオケ情報の終了の有無を判断してカラオケ情報の処理が終了したときには動画終了番号を上記光ディスクプレイヤに出力し、光ディスクプレイヤでは、動画終了番号が入力された時点で動画出力を中断するのに対し、
　甲第１号証の発明では、
　（１−１）背景映像が静止画であり、
　（１−２）背景映像を指定する信号はページ（トラック）信号であり、
　（１−３）カラオケ情報の終了については特に記載がない点。
　
（２）相違点２
   楽曲情報の再生が、本件発明では、シンセサイザを介して再生するのに対し、甲第１号証の発明では、ＣＤからの音楽信号が再生される点。
　
６　相違点についての検討
（１）　相違点１についての検討
（１−１）　カラオケと共に映像を表示するようにした映像つきカラオケ装置において、背景映像として、静止画を用いたものも動画を用いたものも従来より周知である。
　また、ビデオディスクプレーヤにおいて再生される映像として、静止画も動画も周知である（例えば、甲第２、４、５号証、参考資料７として請求人が提出したレーザービデオディスクの規格を解説した「Laser Vision Disk Software Production Guide Book 1987 2nd EDITION」参照）。
　してみれば、甲第１号証には、背景映像として動画を採用することの明記はないものの、甲第１号証の記載に接すれば、背景映像として、静止画に換えて動画を採用することは当業者が適宜なしうるところである。
（１−２）　甲第１号証の発明は、カラオケの背景映像は曲が異なっても共用できるので重複利用を許して各々の曲の内容にマッチした背景映像を再生するために、カラオケ情報中の信号により、楽曲及び歌詞と分離して記憶されている背景映像を指定するものである。カラオケの背景映像は曲が異なっても共用でき、重複利用を許して各々の曲の内容にマッチした背景映像を再生するということは、動画であれ静止画であれ共通の課題であるので、甲第１号証の発明において、背景映像として動画を採用した際に、再生する動画を指定する信号を光ディスクプレイヤに対して出力して、動画を再生させるようにすることは、当業者であれば容易になし得るところである。
　ビデオディスクプレイヤにおいては、一般に、ビデオディスクプレイヤに記録されている動画のトラック番号等（チャプター番号など画像情報の格納位置を示す番号を含む）が指定されることにより該当する動画信号が最初から再生される（例えば上記参考資料７参照）ものであり、外部装置から入力される動画情報を指定する信号を、ビデオディスクプレイヤ側における検索信号（トラック番号等に相当する）に変換して動画再生することは、甲第４号証にも記載されている。
　また、甲第５号証には、ジャンル番号に応じて、適当な映像が選択され表示されることが記載されていて、ビデオディスクプレイヤでは映像再生のために、ジャンル番号が画像情報の格納位置を示す番号に変換され映像の再生が行われているものと理解できるので、動画背景映像を指定する信号を、ビデオディスクプレーヤ側における画像情報の格納位置を示す番号（トラック番号等）に変換して動画再生することが、甲第５号証にも示唆されているとみることができる。
　してみれば、甲第１号証の発明において、背景映像として動画を採用した際に、動画を指定する信号をビデオディスクプレイヤに対して出力して、ビデオディスクプレイヤ側では、動画を指定する信号を予め番号順に記録された対応するトラック番号に変換して該当する動画信号を最初から上記端末装置に出力すると共に、端末装置側から新たな動画番号が入力されるまでこの処理を継続することは、当業者が適宜なしうる設計的事項である。
（１−３）　甲第１号証の発明は、カラオケ情報の終了のときについては特に記載がないが、上記第５の１（ア）に摘記したように、カラオケとともに映像を表示するものであり、カラオケが終了すれば映像の表示も終了するとみるのが自然である。カラオケの終了に合わせて背景映像の再生を終了するかどうかは当業者の好みに属する事項であり、技術的観点からみれば当業者が適宜実施しうる程度の事項にすぎない。
　甲第２号証に、カラオケの背景映像として動画を用い、曲が終了したときに再生停止の命令がビデオディスクプレイーヤに送られ、背景映像の再生が楽曲の終了に同期して終了する構成が示されている。
　してみれば、甲第１号証の発明において、背景映像として動画を採用した際に、曲の終了のときについて甲第２号証に開示された公知の構成を適用することは当業者が適宜なし得ることにすぎないので、本件発明のように、「端末装置では、カラオケ情報の終了の有無を判断してカラオケ情報の処理が終了したときには動画終了番号を上記光ディスクプレイヤに出力し、光ディスクプレイヤでは、動画終了番号が入力された時点で動画出力を中断する」ことは、当業者が適宜なしうることである。
　
（２）　相違点２についての検討　　
　甲第６、７、８号証に記載されているように、カラオケ装置において、楽曲情報をシンセサイザを介して再生することは周知技術である。
　本件明細書にはシンセサイザを用いたことのみが記載され、具体的な実施態様もないことから、カラオケ装置において、ＣＤからの音楽信号であるデジタルオーディオデータを再生するか、シンセサイザを介して再生するかは、当業者が適宜選択しうる設計的事項にすぎないので、甲第１号証の発明において、楽曲をシンセサイザを介して再生することは当業者が適宜なし得ることにすぎない。
　
（３）　上記相違点１ないし２を総合的に勘案しても、本件発明は、カラオケ装置における甲第１、２、４ないし８号証に記載された公知又は周知の技術を組み合わせたものであり、その効果も、当業者であれば当然に予測しうる範囲内であり、上記相違点により格別な効果を奏するものでない。
　
第７　被請求人の主張の検討
１　被請求人は、本件発明と甲第１号証の発明は、その技術分野及び技術課題が相違する、すなわち、甲第１号証の発明のカラオケ装置は静止画を背景画とするものであり、動画を背景画として再生する本件発明のカラオケ装置とは、背景画の再生に際しての技術課題を異にし、甲第１号証には再生終了の命令が光ディスクプレイヤに入力される旨の示唆もないと主張しているので、これについて検討する。
　これについては、相違点１の検討でも示したように、カラオケ装置において、背景映像として、静止画を用いたものも動画を用いたものも周知であり、本件発明も甲第１号証も背景映像の再生という点で共通の技術課題を有している。
　また、カラオケの終了するときに背景映像の再生を終了するかどうかは当業者が任意に選択できる事項にすぎない。甲第１号証に、楽曲の終了に伴う映像再生の終了が明記されていないのは、甲第１号証は、発明の特徴が特に終了に関するものでないから記載されていないというべきである。よって、被請求人の主張は採用できない。
　
２　被請求人は、甲第１号証及び他の甲号証には、「動画制御における時間管理」の新たな技術課題、すなわち、「「カラオケ情報」から「動画情報」を分離してＬＤに記憶し、その動画情報を使い回す構成を採用すると、必然的に楽曲の再生時間と動画の再生時間とのミスマッチを生じるため、楽曲の再生終了に合わせて動画の再生を終了するためには、楽曲の再生時間と動画の再生時間との調整を行うことが必須となる」という新たな技術課題についての認識、及びこの新たな技術課題を解決するための手段、すなわち「光ディスクプレイヤでは、上記端末装置から入力された動画番号を予め番号順に記録された動画情報に対応するトラック番号に変換して該当する動画信号を最初から上記端末装置に出力すると共に、端末装置側から新たな動画番号又は動画終了番号が入力されるまでこの処理を継続し、動画終了番号が入力された時点で動画出力を中断するようにした」構成を採用することについての記載も示唆もないと主張しているので、これについて検討する。
　
（１）　これについては、相違点１の検討の（１−２）（１−３）でも示したように、楽曲の終了に合わせて動画の再生を終了する課題及及び解決手段は甲第２号証に記載されているところであり、端末装置から新たな動画番号が入力されるまでは直前の動画番号の処理が継続される構成は、甲第１号証の発明で静止画に換え動画を採用すれば当然想到することである。
　
（２）　本件発明の効果は、明細書の記載によれば、「カラオケ装置に使用される光ディスク自体にはカラオケの楽曲情報と歌詞情報の他には動画番号を適宜混入させるだけで良く、一枚のディスクに記憶できるカラオケ曲数を大幅に増加させることができるという格別の効果を有する。従って、広い選曲に対応することが要求される業務用のカラオケ装置においても内蔵されるディスクの枚数を多くする必要がなく、装置自体の機械的、電気的な構造も簡略される。」（［発明の効果］の項）であり、甲第１号証の発明も同様の効果を奏するものであって、本件発明と甲第１号証の発明は、背景映像を指定する信号をカラオケ情報に混在させる構成を採ることにより、背景映像に関する技術課題を解決して同様の効果を有している。
　
（３）　被請求人は、動画の長さと楽曲の長さのミスマッチを解消するために、特に楽曲の再生時間に対して動画の再生時間が短い場合には楽曲の内容に合わせた動画がタイミングよく順番に再生されるような構成を採用する（被請求人上申書６頁ニ））と主張しているが、動画番号が端末装置から光ディスクプレイヤに入力されるタイミングについて、動画の長さとの関係において特許請求の範囲及び明細書に特に記載しているわけではなく、本件発明の構成のみにより上記長さのミスマッチが必ずしも解決できるものではない。
　
（４）　被請求人は、「特許請求の範囲において新たな「動画番号」の入力に言及している点、実施例において動画パターンの長さに言及している点等からすれば、曲と背景動画に関する時間管理について、当業者であれば十分理解できるものである」及び「曲と動画の長さのミスマッチを解消させるための動画の継ぎ足しについては、動画の長さが足りないときには動画番号を指定することにより行われ、これは、本件特許請求の範囲の「端末装置側からの新たな動画番号又は動画終了番号が入力されるまでこの処理を継続し」の記載から読める」（口頭審理調書参照）と主張している。
　しかし、上記（３）で示したように、動画の長さが楽曲の長さより短い場合には、動画の長さの最後に対応すべく、カラオケ情報中に動画番号が混在されていなければならないが、そのようなことまで、特許請求の範囲や明細書には記載されていない。「端末装置側からの新たな動画番号又は動画終了番号が入力されるまでこの処理を継続し」の記載から、次の動画番号が入力されると動画番号の切り換えに対応して次の動画信号の再生が行われること、動画終了番号が入力されると動画の再生処理が終了することが、読める程度であって、動画の長さが足りないときには動画の継ぎ足しが行われることまでは、読みとれない。
　
（５）　被請求人は、甲第２号証は、動画の内容が、楽曲と無関係の映像であるので、甲第１号証の発明と組み合わせ採用できないと主張している。しかし、楽曲の終了は、楽曲の内容や背景映像の内容とは無関係であり、背景映像の内容が、静止画であるか動画であるか、又は楽曲と関係のない動画であるか関係する動画であるか、にかかわらず、楽曲の終了に際して、背景映像を終了させることは適宜行われることである。よって、楽曲の終了の観点から、甲第２号証の発明を甲第１号証の発明と組合わせることは適宜なしうる。
　
３　被請求人は、甲第１号証及び他の甲号証には、「背景動画カラオケ装置の省スペース化、効率化」の課題の実現のために、複数の要素技術を組み合わせるという特徴的な構成を採用することにより、カラオケ装置における楽曲及び歌詞情報の記憶格納及び動画情報の記録格納に関する「省スペース化、効率化」を実現する旨の記載及びこれを示唆する記載もないと主張しているので、これについて検討する。
　これについては、相違点１及び２の検討でも示したように、カラオケ装置において公知又は周知の技術を組み合わせることは、当業者にとって適宜なし得るところであり、背景映像として動画と静止画の違いがあっても、動画に関する技術やビデオディスクプレイヤに関する公知又は周知の技術を組み合わせることは当業者が適宜なしうる設計的事項にすぎない。
　カラオケ装置の省スペース化及び効率化が課題であることは当然のことであるから、カラオケ装置として周知技術である、楽曲情報をシンセサイザで再生することは、当業者が適宜行うことであり、他の情報量が膨大だからといって当業者の発想を超えるものではない。
　また、背景映像の情報量が多いことから、これを指定する信号をカラオケ情報に混在させることにより、背景情報の選択の自由度を増しまた同じ背景情報を使い回すという発想は、甲第１号証において開示されている技術であり、当業者であれば甲第１号証の発明において背景映像を静止画ではなく動画を採用する際には、当然動画を指定する動画番号を用いるといえる。
　
４　被請求人は、動画について記載された甲第２号証、甲第５号証を、甲第１号証に記載の静止画カラオケの発明に組み合わせても、本件発明に到達することはできない旨を以下（１）ないし（５）のとおり主張している（上申書１０頁〜１９頁）ので、これについて検討する。
（１）甲第１号証に開示された静止画の制御技術では、ＣＤプレイヤが停止後も、最後に出力されたページ信号Ｓｐに対応する静止画が表示され続けるものと解さざるを得ない。
（２）本件発明は、動画制御における時間管理という新たな技術課題を解決するものである。
（３）静止画に比べ動画は、当該背景が漫然と表示され続けると、その不自然さが際だったものとなる。
（４）甲第２号証の発明と甲第１号証の発明とを組み合わせても、本件発明を得ることはできない。
（５）甲第５号証の発明と甲第１号証の発明とを組み合わせても、さらには甲第５号証の発明を甲第２号証の発明、甲第１号証の発明と組み合わせても、本件発明を得ることはできない。
　
　被請求人の主張（１）について
　相違点（１−３）で検討したように、甲第１号証には、ＣＤプレイヤが停止したときについては特に記載がないが、ページ信号Ｓｐは楽曲に合わせた静止画を再生するためのものであって、楽曲終了後に背景映像を終了させるかさせないかは適宜選択される設計的事項にすぎないから、被請求人の主張は採用できない。
　
　被請求人の主張（２）について
　上記２の検討で示したとおりである。被請求人の「曲と動画の長さのミスマッチを解消させるための動画の継ぎ足しについては、動画の長さが足りないときに新たな動画番号を出力することにより行われる」という主張は、請求の範囲や明細書に、動画の長さが足りないときにというタイミングについてまでは、記載がないので、被請求人の主張は採用できない。また、被請求人は、静止画には再生時間のミスマッチという問題は発生する余地がないと主張しているが、甲第１号証には１つの楽曲の中で複数の静止画を順番に再生することが開示されているのであるから、静止画においても曲の長さに合わせて静止画を指定する信号を複数混在させて曲の長さに合わせている。甲第１号証の発明を動画の再生に適用した際には、１つの楽曲の中で複数の動画を順番に再生することは当業者が容易になし得ることといえる。
　
　被請求人の主張（３）について
　静止画と動画とを比べ、動画が表示され続けるとその不自然さが際だつとは断言できない。
　楽曲の再生終了時に背景映像を表示するか終了させるかは、静止画か動画を問わず適宜選択すべき設計的事項であり、楽曲の再生終了に合わせて動画の再生を終了させることは、甲第２号証に開示されており、被請求人の主張は採用できない。
　
　被請求人の主張（４）について
　被請求人は、甲第２号証は、カラオケ情報と動画情報を動画番号によって対応づける発想がないので「動画制御における時間管理」における新たな技術課題及び解決手段の示唆がないと主張し、甲第２号証は、動画の内容が、楽曲と無関係の一連の映像であるので、甲第２号証の装置では、曲の再生が終了するとスタンバイ状態となりその映像再生の終了ではなく、次の再生に備えるものであると主張している。
　しかし、甲第２号証には、楽曲の終了時に動画の再生が停止し、曲間では再生装置２（これは背景映像に相当する）がスタンバイ状態となり動画が再生されないことが示されているのであるから、楽曲の終了に対応して動画の再生を終了するという、楽曲の終了に係わる動画制御の時間管理の課題の認識及び解決手段が開示されているといえる。
　
　被請求人の主張（５）について
　被請求人は、甲第５号証の発明は、所定のジャンルに対応された複数の映像の中から、適当な映像を選択して表示されるということであり、複数の映像のそれぞれが異なる再生時間を有しているにもかかわらず、この再生時間と楽曲の再生時間との相違が全く考慮されていないことを意味すると主張し、したがって「動画制御における時間管理」における新たな技術課題及び解決手段の示唆がないと主張している（上申書１８頁２２行〜２８行）。被請求人は、本件発明は動画の長さが異なることが前提であるように主張しているが、本件明細書によれば、「１パターン３分程度として２０パターン用意すれば十分である」（特許明細書公報２頁右欄３３乃至３４行）と例示されていて、本件発明では特に各動画の長さが異なるものを前提としておらず、明細書全体を検討してもこの点について記載されていないので、被請求人の主張は採用できない。
　
５　被請求人は、答弁書で乙第２ないし７号証を提出し、本件発明の進歩性と商業的成功は、出願当時の当業者の技術水準に関する事実によって裏付けられると主張しているが、これらの証拠は、被請求人の作成した説明資料及び本件出願日より後の出願に係る公報であって、出願当時の当業者の技術水準を裏付けるものではなく、本件発明の進歩性を裏付けるものではないので、これらの証拠から、本件発明をすることが困難であるとはいえないし、本件発明に格別顕著な効果があるともいえない。
　
第８　むすび
　以上、本件発明は、甲第１、２、４ないし８号証の発明に基づいて当業者が容易に発明をすることができたものであり、その特許は、特許法第２９条第２項の規定に違反してなされたものであるから、同法第１２３条第１項第２号に該当し、無効とすべきものである。
　審判に関する費用については、特許法第１６９条第２項の規定で準用する民事訴訟法第６１条の規定により、被請求人が負担すべきものとする。
　よって、結論のとおり審決する。